(57)【要約】【課題】ラップフィルムの巻き戻り、端部めくれを防止し、かつ、使用時において剥がし易いラップフィルム収納ケースを提供する。【解決手段】ラップフィルム収納ケースの正面板１００の中央部に第１の保持部と、この第１の保持部の両側にあって間隔を設けてなり、かつ、上記ケース本体の正面板の左右最端部にまで塗布されている筋状の第２の保持部を設ける。更に、この第１、第２の保持部をラップフィルムをカットした際、そのカット刃２の内側に塗布されるように構成する。【選択図】図１
2005212894.tif 000002
【特許請求の範囲】
【請求項１】
ロール状に巻かれたラップフィルムを収納するケースであって、該ケース本体の開口部からラップフィルムを引き出して切断するカット刃と、切断後のラップフィルムの端部のケース内への巻戻りを防止するためのフィルム保持部と、を備えたラップフィルム収納ケースにおいて、
上記フィルム保持部は、粘着性、剥離性を有するニスで構成されており、このフィルム保持部は該ケース本体の正面板の幅方向であって、該正面板の中央部に塗布される第１の保持部と、この第１の保持部の両側にあって間隔を設けてなり、かつ、上記ケース本体の正面板の左右最端部にまで塗布されている筋状の第２の保持部を備え、更に、上記第１、第２の保持部は、ラップフィルムをカットした際そのカット刃の内側に塗布されていること
を特徴とするラップフィルム収納ケース。
【請求項２】
上記第１の保持部は、
上記第２の保持部に比して塗布面積が広く、かつ、上記第２の保持部は上記ケースの正面板中央部から左右最端部にかけて段々と塗布面積が狭小に形成されていること
を特徴とする請求項１記載のフィルムラップ収納ケース。
【請求項３】
上記第１の保持部と上記第２の保持部は、同形状で形成されていること
を特徴とする請求項１記載のフィルムラップ収納ケース。
【請求項４】
上記第１の保持部は上記第２の保持部よりラップフィルムの巻き取り方向における長さが短く、かつ、上記第２の保持部は上記ケース本体の正面板の幅方向において、その中央部から左右端部にかけて段々と該長さが長くなるように塗布されていること
を特徴とする請求項１記載のフィルムラップ収納ケース。
【請求項５】
上記第１の保持部は上記第２の保持部よりラップフィルムの巻き取り方向における長さが長く、かつ、上記第２の保持部は、上記ケース本体の正面板の幅方向において、その中央部から左右端部にかけて段々と該長さが短くなるように塗布されていること
を特徴とする請求項１記載のフィルムラップ収納ケース。
【請求項６】
上記粘着性、剥離性を有するニスは、アクリル樹脂エマルジョン系のニスであること
を特徴とする請求項１記載のフィルムラップ収納ケース。
【発明の詳細な説明】
【技術分野】
【０００１】
本発明は、食品包装等に用いられるラップフィルムを収納するラップフィルム収納ケースに関し、特に、該ラップフィルムの端部の巻戻り防止機能を備えたラップフィルム収納ケースに関する。
【背景技術】
【０００２】
食品等を包むラップフィルムは、防曇剤等の液状成分の添加あるいは表面の酸化で極性基を生成させることで粘着力を出し、この粘着力により食品等を包むものであり、通常、紙管にロール状に巻かれた状態でラップフィルム収納ケース内に収納されている。従って、このラップフィルムを使用する分だけ引き出し、切断した場合においては、このラップフィルムの切断端が静電気によりロールに張り付いてしまい、次回使用時にこの切断端を探すのに苦労する場合がある。そこで、このフィルムラップの切断端がロールに張り付かないようにラップフィルムの巻き戻りを防止する必要がある。
【０００３】
このラップフィルムの巻き戻りを防止するための手段として、特許文献１に記載のものがある。この特許文献１の発明は、粘着性を有し、かつ剥離性を有するニスを用いたものである。そして、この発明にあっては、このニスを用いて収納ケースの正面板の中央部に細長状の第１の保持部（特許文献１の図１参照）とこれに間隔をあけてなるこれより小さい方形状の第２の保持部（同図１参照）を左右に各１つずつ設けている。
【０００４】
しかし、このような構成によれば、第１の保持部の面積を広くすることにより粘着力を強くする効果は期待できるが、その一方においてこの第１の保持部自体に間隙がないため、粘着力を強くすると、ラップフィルムが強く接着し、フィルムを引き剥がす際に引き剥がしづらく、場合によってはフィルム切れを生じる場合もある。また、ニスを厚く塗ることによっても粘着力を強くする効果は期待できるが、ラップフィルムを剥がした際に、該ラップフィルムにニスが移行する恐れがある。更に、上記第２の保持部が正面板の幅方向の左右の最終端に設けられていないため、ラップフィルムの端部のめくれが生じてしまい使用者にとって使い勝手が悪くなる。
【０００５】
【特許文献１】特開２０００−１２８１５８号公報（図１、図２）
【発明の開示】
【発明が解決しようとする課題】
【０００６】
この発明は、上記問題点を解決するためになされたもので、その目的とするところは、ラップフィルムの巻き戻りを効果的に防止し、かつ、ラップフィルムを使用する際において、容易に剥がせるようにし、更に、ラップフィルムの両端部のめくれを防止することにより、使用者にとって使い勝手のよいラップフィルム収納ケースを提供することにある。
【課題を解決するための手段】
【０００７】
上記課題を解決するために、本発明は、ロール状に巻かれたラップフィルムを収納するケースであって、該ケース本体の開口部からラップフィルムを引き出して切断するカット刃と、切断後のラップフィルムの端部のケース内への巻戻りを防止するためのフィルム保持部と、を備えたラップフィルム収納ケースにおいて、上記フィルム保持部は、粘着性、剥離性を有するニスで構成されており、このフィルム保持部は該ケース本体の正面板の幅方向であって、該正面板の中央部に塗布される第１の保持部と、この第１の保持部の両側にあって間隔を設けてなり、かつ、上記ケース本体の正面板の左右最端部にまで塗布されている筋状の第２の保持部を備え、更に、上記第１、第２の保持部は、ラップフィルムをカットした際そのカット刃の内側に塗布されていることを特徴とする。
【０００８】
ここで、粘着性、剥離性を有するニスとは、ラップフィルムに粘着することができ、かつ、その粘着後においてこのフィルムを剥がすことができるような、顔料を含まず透明な塗膜をつくる塗料を言い、例えば、アクリル樹脂エマルジョンで数割のシリコーン変性アクリル樹脂エマルジョンを含むニスのようなものを言う。
【０００９】
本発明では、上記のようにフィルム保持部を粘着性、剥離性を有するニスで構成し、更に、中央部に設けられた第１の保持部とこれの左右に第２の保持部を間隔を設けて筋状に左右最端部にまで設けるという構成にしたことから、フィルム保持部全体として粘着力が強められるので、確実にラップフィルムの巻き戻りを防止でき、かつ、ラップフィルムの端部のめくれが防止できる。更に、上記のように第２の保持部には間隔を設けたので、該間隔を調整することで自由に粘着力を調整でき、その結果、上記巻き戻り防止が確実に図れる粘着力を維持し、かつ、使用者が使用する際に剥がし易い使用者にとって使い勝手のよいラップフィルム収納ケースとなる。
【００１０】
また、本発明では、上記第１の保持部は、上記第２の保持部に比して塗布面積が広く、かつ、上記第２の保持部は上記ケースの正面板中央部から左右最端部にかけて段々と塗布面積が狭小に形成されるようにしてもよい。
【００１１】
上記のような構成にすることにより、フィルム保持部全体としてはラップフィルムの巻き戻りが防止できるような粘着力を維持しつつ、第２の保持部の１つ１つの粘着力を左右最端部に近づくにつれて弱くでき、かつ、正面板中央部に近づくにつれて強くできるので、中央部においてはラップフィルムをしっかりと粘着でき、他方、左右最端部においては、剥がすのが容易となる。
【００１２】
また、本発明では、上記第１の保持部と上記第２の保持部は、同形状で形成されるようにしてもよい。
【００１３】
上記のような構成にすることにより、第１の保持部も夫々の第２の保持部も均等な粘着力となるので、ラップフィルムの端部のどの部分からでも容易に剥がすことができることとなる。
【００１４】
更に、本発明では、上記第１の保持部は上記第２の保持部よりラップフィルムの巻き取り方向における長さが短く、かつ、上記第２の保持部は上記ケース本体の正面板の幅方向において、その中央部から左右端部にかけて段々と該長さが長くなるようにしてもよい。
【００１５】
上記のような構成にすることにより、中央部においてラップフィルムを次に引き出す際の摘み代が確保されることとなり、使用者にとって使い勝手がよい。
【００１６】
また、本発明では、上記第１の保持部は上記第２の保持部よりラップフィルムの巻き取り方向における長さが長く、かつ、上記第２の保持部は、上記ケース本体の正面板の幅方向において、その中央部から左右端部にかけて段々と該長さが短くなるようにしてもよい。
【００１７】
上記のような構成にすることにより、左右端部においてラップフィルムを次に引き出す際の摘み代が確保されることとなり、使用者にとって使い勝手がよい。
【００１８】
また、本発明では、上記粘着性、剥離性を有するニスは、アクリル樹脂エマルジョン系のニスであることを特徴とする。
【発明の効果】
【００１９】
以上説明した通り、本発明に係るラップフィルム収納ケースは、フィルム保持部を粘着性、剥離性を有するニスで構成し、更に、中央部に設けられた第１の保持部とこれの左右に第２の保持部を間隔を設けて筋状に左右最端部にまで設けるという構成にしたことから、フィルム保持部全体としての粘着力が強められるので、確実にラップフィルムの巻き戻りを防止することができ、かつ、ラップフィルムの端部めくれも防止できる。更に、第２の保持部には間隔が設けられており間隙があるので、使用者が使用する際に剥がし易く、使用者にとって使い勝手がよくなる。
【発明を実施するための最良の形態】
【００２０】
以下、本発明に係るラップフィルム収納ケースの実施形態について図１乃至図５を基に詳細に説明する。
【００２１】
図１は、本発明の一実施形態であるラップフィルム収納ケースの全体を示した斜視図である。このラップフィルム収納ケースは、図示しないラップフィルムロールを回転可能にする収納ケース本体１と、該ケース本体の開口部からラップフィルムを引き出して切断するカット刃２と、この切断後のラップフィルムの端部のケース内への巻き戻りを防止するためのフィルム保持部１０７とから構成されている。
【００２２】
上記収納ケース本体１は、正面板１００、背面板１０１、左右両側板１０２、１０２、底面板１０３、及び上面板１０４からなる直方体の箱型形状に形成され、その上面板１０４の端部に上記カット刃２が装着されており、上記正面板１００に第１の保持部１０５及び第２の保持部１０６からなるフィルム保持部１０７が設けられている。そして、このフィルム保持部１０７が、ラップフィルムをカットした際、そのカット刃２の内側に塗布されるような構造となっている。
【００２３】
この第１の保持部１０５は、正面板１００の幅方向であって該正面板１００の中央部にあり、第２の保持部１０６は、この第１の保持部１０５の両側にあって間隔を設けて該正面板１００の幅方向左右端にかけて該ラップフィルムの長さ方向に筋状に設けられており、更に、該第２の保持部１０６は、該ケース本体１の正面板１００の幅方向の左右の最端部にも設けられている。
【００２４】
この第１の保持部１０５及び第２の保持部１０６は、粘着性、剥離性を有するニスで構成されており、例えば、アクリル樹脂エマルジョンで数割のシリコーン変性アクリル樹脂エマルジョンを含むニスのようなもので構成されている。
【００２５】
このような粘着性、剥離性を有するニスをフィルム保持部１０７として用い、更に、該フィルム保持部１０７を上記のように中央部に設けられた第１の保持部１０５とこれの両側に間隔を設けて筋状に形成された複数の第２の保持部１０６とで構成することにより、第１の保持部１０５あるいは第２の保持部１０６の１つ１つの粘着力は弱いが、フィルム保持部１０７全体としての粘着力を強められ、かつ、使用時に剥がし易いようなラップフィルム巻き戻り防止の図れるフィルム保持部を有するラップフィルム収納ケースが形成される。
【００２６】
次に、本実施形態のフィルム保持部１０７の機能説明をする。
【００２７】
ラップフィルムを使用する際には、図１ａのように、上面板１０４を上方に引き上げ、該収納ケース本体１を開口する。次にラップフィルムの端部を摘み、この端部を収納ケース本体１の外部方向へ必要なだけ引き出し、上記引き上げられた上面板１０４を該収納ケース本体１を閉口する方向に引き下げる。すると、引き出されたラップフィルム１０９は、図１ｂのようにこの引き下げられた上面板１０４と正面板１００の間に挟まれる。そして、上面板１０４を外側から押圧し、この挟まれたラップフィルム１０９の端部をカット刃２に押し付けるように上方に引き上げることにより、このラップフィルム１０９が切断される。
【００２８】
そして、この切断の際の上記押圧により、正面板１００に設けられているフィルム保持部１０７がラップフィルム１０９と粘着し、次回使用の際までラップフィルム１０９がフィルム保持部１０７に保持され、巻き戻りを防止することができることとなる。
【００２９】
更に、本実施形態では、フィルム保持部１０７が上記のように中央部に設けられた第１の保持部１０５と、これの両側に筋状の第２の保持部１０６が間隔をあけて左右最端部にまで設けられるという構成であるので、このラップフィルム１０９の粘着の際には、上記中央部から左右最端部にかけて確実に粘着でき、巻き戻り及び端部のめくれを防止することができ、かつ、第２の保持部１０６が間隔を設けて構成されているので、次回使用の際にラップフィルム１０９を剥がすのが容易となる。
【００３０】
また、本実施形態において、第１の保持部１０５及び第２の保持部１０６の正面板１００におけるラップフィルム１０９の長さ方向の最下部が、ラップフィルム１０９の切断の際に、カット刃２よりも該長さ方向において上方に位置するような構成とすれば、使用者が次回使用時においてラップフィルム１０９を引き出す際の摘み代１０８ができ、使用者にとってより使い勝手がよくなる。
【００３１】
次に、上記の如く構成された本実施形態のラップフィルム収納ケースの第１の保持部１０５及び第２の保持部１０６の構成例について、図２乃至図５を用いて説明する。
【００３２】
図２では、正面板１００に、第１の保持部１０５が逆台形状に塗布されており、かつ、第２の保持部１０６よりも面積が広く塗布されている。一方、第２の保持部１０６はこの第１の保持部１０５の逆台形の各斜辺に平行して間隔を設けて塗布されており、かつ、ラップフィルム収納ケースの正面板１００の幅方向中央部から左右最端部にかけて第２の保持部１０６の幅が段々と狭くなるように塗布されている。
【００３３】
このようにすることにより、フィルム保持部１０７全体としてはラップフィルムの巻き戻りが防止できるような粘着力を維持しつつ、第２の保持部１０６の１つ１つの粘着力を左右最端部に近づくにつれて弱くでき、かつ、正面板１００中央部に近づくにつれて強くできるので、中央部おいてはラップフィルムをしっかりと粘着でき、他方、左右最端部においては、剥がすのが容易となる。
【００３４】
なお、図２においては、第１の保持部１０５を逆台形状としたが、これを正方形や長方形等とすることも可能であり、また第２の保持部１０６もこれに平行となるように構成されなくてもよい。
【００３５】
図３では、正面板１００に、第１の保持部１０５も第２の保持部１０６も同形状で塗布されている。この形状としては、例えば、正方形、長方形、菱形等がある。このようにすることにより、どの保持部においても粘着力が均一であり、しかも、中央部、左右最端部等どこからでも引き剥がしが容易となる。
【００３６】
図４では、正面板１００に、第１の保持部１０５が第２の保持部１０６よりラップフィルムの巻き取り方向における長さが短く、かつ、上記第２の保持部は上記ケース本体の正面板の幅方向において、その中央部から左右端部にかけて段々と該長さが長くなるように塗布されている。
【００３７】
このようにすることにより、該左右端部におけるラップフィルムの端部めくれを防止でき、かつ、該中央部においては、次回使用の際のラップフィルムの端部の摘み代が確保できるので、容易にラップフィルムを剥がし易く、引き出し易くなる。
【００３８】
図５では、正面板１００に、第１の保持部が上記第２の保持部よりラップフィルムの巻き取り方向における長さが長く、かつ、上記第２の保持部は、上記ケース本体の正面板の幅方向において、その中央部から左右端部にかけて段々と該長さが短くなるように塗布されている。
【００３９】
このようにすることにより、該中央部においては、確実に粘着され、他方、左右端部においては、摘み代が確保されるので、ここから容易に剥がすことができる。
【００４０】
なお、図５においては、第１の保持部１０５を逆台形状としたが、これを正方形や長方形等とすることも可能であり、また第２の保持部１０６もこれに平行となるよう構成されなくてもよい。
【００４１】
なお、第１の保持部１０５と第２の保持部１０６を正面板１００の幅方向に一直線上に形成しても巻き戻り防止や端部のめくれ防止、更に、ラップフィルムを剥がし易いといった上記効果が得られる。
【図面の簡単な説明】
【００４２】
【図１】本発明に係るラップフィルム収納ケースの使用時における全体図であって、同図ａ）は上面板を開いた状態の全体図であり、同図ｂ）は上面板を閉じた状態の全体図である。
【図２】本発明の一実施形態であるラップフィルム収納ケースのフィルム保持部の構成図である。
【図３】本発明の一実施形態であるラップフィルム収納ケースのフィルム保持部の構成図である。
【図４】本発明の一実施形態であるラップフィルム収納ケースのフィルム保持部の構成図である。
【図５】本発明の一実施形態であるラップフィルム収納ケースのフィルム保持部の構成図である。
【符号の説明】
【００４３】
１  収納ケース本体
２  カット刃
１００  正面板
１０１  背面板
１０２  左右両側板
１０３  底面板
１０４  上面板
１０５  第１の保持部
１０６  第２の保持部
１０７  フィルム保持部
１０８  摘み代
１０９  ラップフィルム
【図１】
2005212894.tif 000003
【図２】
2005212894.tif 000004
【図３】
2005212894.tif 000005
【図４】
2005212894.tif 000006
【図５】
2005212894.tif 000007